(57)【特許請求の範囲】
【請求項１】
ハンドル（６）と、このハンドルに接続することができ、少なくとも１つのカミソリ刃（１２）を有するカミソリヘッド（１１）と、このカミソリヘッドを前記ハンドルに接続する接続装置（１）とを有する湿式カミソリであって、前記カミソリヘッドは、前記カミソリ刃の刃縁にほぼ垂直で且つカミソリ刃の領域内に配置された第１の旋回軸線の周りでハンドルに対して正逆方向に旋回可能になるように前記ハンドルに取り付けられ、前記接続装置が、ベース辺（２）と、上辺（３）と、２つの側辺（４，５）とから成る少なくとも１つの四節機構（１）を有し、前記ベース辺（２）は、前記第１の旋回軸線にほぼ平行で前記ベース辺と交差する第２の軸線（８）の周りに旋回可能である湿式カミソリにおいて、
前記四節機構（１）の両側辺（４，５）間の距離が調節可能であることを特徴とする湿式カミソリ。
【請求項２】
前記正逆方向の各々におけるカミソリヘッドの旋回角度が、０°乃至８０°である請求項１に記載の湿式カミソリ。
【請求項３】
前記正逆方向の各々におけるカミソリヘッドの旋回角度が、５°乃至２０°である請求項２に記載の湿式カミソリ。
【請求項４】
前記第２の軸線（８）が、前記ベース辺（２）とその中央で交差している請求項１乃至３のいづれか１項に記載の湿式カミソリ。
【請求項５】
前記辺（２，３，４，５）の少なくとも一部が、バー部材によって形成されている請求項１乃至４のいづれか１項に記載の湿式カミソリ。
【請求項６】
前記辺（２，３，４，５）の少なくとも一部が、プレート状部材によって形成されている請求項１乃至５のいづれか１項に記載の湿式カミソリ。
【請求項７】
前記側辺（４，５）が、カミソリヘッド（１）の取付装置（１０）を有する請求項１乃至６のいづれか１項に記載の湿式カミソリ。
【請求項８】
前記取付装置が、フック部材（１０）から成る請求項７に記載の湿式カミソリ。
【請求項９】
屈曲部（７，８）が、前記四節機構（１）のベース辺（２）および上辺（３）のそれぞれの中間点に配置されている請求項１乃至８のいづれか１項に記載の湿式カミソリ。
【請求項１０】
前記四節機構（１）の両側辺（４，５）に内側への力を加え、前記ベース辺（２）および上辺（３）が屈曲し、従って該ベース辺および上辺の長さが短縮することによって、前記カミソリヘッドがハンドルから除去される請求項９に記載の湿式カミソリ。
【請求項１１】
前記四節機構（１）はばねによる復元力が与えられている請求項１乃至１０のいづれか１項に記載の湿式カミソリ。
【請求項１２】
前記カミソリヘッド（１１）が、２枚刃のカミソリ刃組立体から成る請求項１乃至１１のいづれか１項に記載の湿式カミソリ。
【発明の詳細な説明】
発明の背景
本発明は、ハンドルと、ハンドルの前端に接続することができるカミソリヘッド、特に、少なくとも１つのカミソリ刃を有するカミソリ刃ユニットと、ハンドルにカミソリヘッドを接続する接続装置とを有する湿式カミソリに関する。
一般的な湿式カミソリはこの技術分野で知られている。通常、カミソリヘッドまたはカミソリ刃ユニットは、プラスティックハウジングから形成され、そのプラスティックハウジング上に配置された刃組立体を有する。ハンドルとカミソリヘッドとの間が永久的に剛性の接続がなされる場合には、カミソリヘッドは、カミソリ刃組立体のみを有することができる。しかしながら、カミソリヘッドがハンドルから分離される場合には、カミソリヘッドはプラスティックハウジング部材と、それに接続されたカミソリ刃組立体との双方を有する。このカミソリ刃組立体は、１つまたは２つのカミソリ刃を有する。一般に湿式のカミソリは、日常のひげそり、化粧用の脱毛または医療分野において使用される大量生産品である。
毛をそる身体の形状は不規則であり、毛をそる皮膚に対して刃を可撓性を有するように案内することに関してこの技術分野で多数の装置が提案されている。ハンドル領域に配置されたピボット接合部、カミソリ刃組立体に刃平面内で可動に挿入されたカミソリ刃、及び可撓性の刃はこの技術分野で公知である。
１つの公知の装置において、カミソリヘッドはホルダ上に旋回可能に配置され、旋回軸は、刃縁とほぼ平行であるが、カミソリヘッドの前方に配置されている。その結果、相当の旋回運動に加えて、制御できないモーメントが生じ、これは、皮膚に切れ目や切り傷を生じる。他の公知の装置において、旋回軸は、カミソリ刃の平面より下方にあり、これは、同じ不利な結果を招く。最後に、ハンドルに対してカミソリヘッドが軸受シェルに取り付けられたものが公知であるが、これは、長い旋回距離及び制御できないモーメントの他に、製造上の欠点及び可能な汚れ等による動作の欠点を有する。もちろん、公知の装置は、毛をそる皮膚に対するカミソリ刃の相対的運動性をもたらすが、ひげをそる皮膚に実際に追随し、刃幅を最大限に活用し、最適な切断角度に刃を保持することを保証することができない。
発明の概要
本発明の目的は、シェービングの効果を改良し、手術前のシェービングのような医学的な目的のためにも使用することができる湿式カミソリを提供することである。この目的を技術的に解決するために、カミソリ刃の刃縁にほぼ垂直に、カミソリ刃の領域内に配置された旋回軸の周りでハンドルに対して旋回可能なようにカミソリヘッドを取り付けることが提案される。
本発明の構成によれば、刃をシェービングする表面に非常に接近するように案内すること及び刃の輪郭への最適な追随が保証される。刃縁に平行でカミソリ刃の流域内に配置された旋回軸の周りでカミソリヘッドが旋回する性能によって、これまで接近するのが困難である非常に不規則な場所で皮膚に沿って刃を緊密に案内することができる。その結果、最適なシェービングの結果が保証される。事実上すべりが回避され、刃縁の長手方向の動きが最小限に低減される。都合よくは、０°乃至８０°の角度で、好ましくは５乃至２０°の角度で正逆の回転方向にカミソリ刃組立体を旋回することができる。さらに都合よくは、二枚刃のカミソリ刃組立体を有するカミソリヘッドが提案されている。本発明による旋回能力は、必要な範囲で対応するシェービングの結果を得ることができるように従来の作動機構と容易に組み合わせることができる。
好ましい実施例において、ハンドルの操作のみによって、カミソリヘッドを把持する必要なしにカミソリヘッドの取付けを達成することができることが提案されている。
本発明の好ましい実施例による１つの可能な技術的な実施例は、四節機構によって形成された接続装置を有し、その一辺はカミソリヘッド旋回軸に平行で四節機構のこの辺と交差する軸線の周りで旋回可能である。この場合において、四節機構は、基本的には四隅に結合部が備えられている矩形である。もし四節機構の一辺が軸線の周りで揺動状に旋回すると、四節機構は、平行四辺形となり、旋回辺の反対側の辺も同じ方向に旋回し、この旋回は、それを貫通する仮想軸線の周りで行われる。この動作態様は、カミソリヘッドを四節機構に接続するために使用され、カミソリ刃の領域に配置され、刃縁に垂直に伸びる旋回軸の周りで旋回する能力が、自動的に得られる。
都合よくは、軸線が四節機構の辺と直角に交差することが提案される。さらに、都合よくは、軸線が四節機構の辺と中央で交差することが提案される。四節機構の個々の辺の長さを変えることによって、カミソリ刃が旋回して皮膚の輪郭に適合する多くの機能が達成される。
さらに好ましい実施例において、四節機構の辺の少なくとも一部がバー部材によって形成されることが提案される。さらに、四節機構の辺の少なくとも一部がプレート状部材によって形成されることが提案される。本発明による湿式カミソリの接続装置は、機能的、技術的および設計的な観点から構成することができる。
さらに好ましい実施例において、四節機構の辺の長さは、調整可能である。さらに都合よくは、四節機構の旋回辺と接続している辺は、カミソリヘッドの取付装置を形成する。特に有利な構成においては、これらの辺は、フック状部材を有する。この構成によって、フック状部材の側方への挿入によってハンドルに取り付けられる従来公知の溝付カミソリヘッドを使用することが可能になる。フック状部材が四節機構に形成されていることによって、四節機構の対応する辺が旋回したときに、カミソリヘッドも自動的に旋回する。
カミソリヘッドをフック状部材によってハンドルに固定するこの技術分野で公知の固定装置は、カミソリヘッドがフック状部材によって形成される軸線の周りで旋回する機能をすでに提供している。この旋回機能は、本発明による旋回性能を追加することにより補完され、その結果、シェービング装置は非常に有効で快適なものとなる。
四節機構の軸線の周りで旋回可能な辺並びにこの辺の反対側の辺が、少なくとも１つの屈曲部を有することが提案される。この構成により、カミソリヘッドの取付け及び取り外しを容易に実行することができる。２つの辺は、適当な圧力を加えることによって、それらの屈曲部領域で屈曲し、四節機構の他の２つの辺の間の距離が減少する。四節機構にカミソリヘッドの取付装置が設けられているので、カミソリヘッドが放出されるか、取付装置をカミソリヘッドの対応する装置に導入することができる。この構成によって、使用者は、カミソリヘッドに接触する必要なしにカミソリヘッドの着脱が行える。これは、医学的な用途の分野においては特に大きな利点を有する。
都合よくは、原位置に復元させるためのばねを有する四節機構が提案されている。本発明による湿式カミソリは、シェービングの目的で皮膚の輪郭に沿って案内され、皮膚の輪郭の変化は、カミソリヘッドに異なる圧力を生じ、その結果、各圧力を逃がすように旋回動作が始まる。四節機構及びカミソリヘッドは、ばねの荷重によって、その原位置に戻ることができる。
さらに、カミソリヘッドをハンドルに接続するために使用することができ、前述した特徴を有する接続装置が提案される。本発明の有利な提案によれば、接続装置は、カミソリヘッドに固定される。この種のカミソリヘッドは、接続装置によってハンドルに容易に取付けることができるように適当なディスペンサに提供される。本発明の他の提案によれば、接続装置は、ハンドルに固定される。これは従来のカミソリ刃組立体を使用することに適しており、四節機構の領域に適当な取付装置が形成されている。
本発明による湿式カミソリまたは本発明による接続装置を使用することによって、シェービングする不規則な表面への追随が改良され、シェービングが改善される。ひげをそる表面への刃縁の接近並びに切断角度の最適化も同様に改良される。さらに、改良された追随により、大きな幅の刃縁を規則的に利用することができ、シェービングすべき身体に適用される圧力を容易に制御することができるから、シェービングの快適性が改良される。さらに、この圧力は、ばね偏倚機構によって変化させることができる。本発明による湿式カミソリは、非常に人間工学的に構成されており、ユーザの調整による補償が不要となるので、優れたシェービングの結果を得ることができる。
本発明の利点及び特徴は、図面を参照することによって詳細な説明から明らかになるであろう。
【図面の簡単な説明】
第１図は、本発明による四節機構の概略図である。
第２図は、旋回位置での第１図による四節機構の概略図である。
第３図は、屈曲位置での第１図による四節機構の概略図である。
第４図は、湿式カミソリの実施例の概略図である。
発明の詳細な説明
第１図乃至第３図に概略的に示した接続装置は、四節機構の形態であり、この機構は、ベース辺２、ベース辺２と反対側の上辺３と、これらのベース辺２，３を接続する側辺４及び５とを有する。辺２，３，４及び５の間の接続点において、旋回結合部１６，１７，１８及び１９がそれぞれ配置されている。ベース辺２は、第２図に示すようなベース辺２の旋回が上辺３の平行な旋回往復動を生じるように矢印２２の方向に旋回可能であるようにハンドル６に配置されている。個々の辺の長さにおける変化は旋回点の対応する移動を生じる。
ベース辺２及び上辺３は、ほぼ各辺の中間点に配置された屈曲点７，８を有し、ベース辺２及び上辺３は、屈曲点７及び８が屈曲したときに側辺４，５を矢印２１の方向に互いに向かって移動させ、また、側辺４及び５が外側に屈曲することができるように側辺４及び５に屈曲点を設け、その結果、側辺４及び５の上方へ延びる端部が互いに向かって移動し得るようにすることもできる。
カミソリヘッドは、旋回点１７，１９の反対側の側辺の４及び５の両端に配置することができる。この場所において、カミソリヘッドは、ベース辺２及び上辺３と同じ様に旋回させることができ、その旋回点は、ほぼカミソリ刃の領域内に配置される。
例として示される四節機構の長手方向の広がりは、カミソリ構成の要求に依存する。例えば、バー部材からなる互いに離れた複数の四節機構を、カミソリヘッドの長さに沿って形成し、ロッドによって互いに接続することができ、このロッドは、均一な動きを行うように、ベース辺２または上辺３上に旋回結合点または共通のプレート状のベースを形成する。しかしながら、四節機構１のベース辺２は、ハンドルに対して旋回可能に配置されることが好ましい。
図４に示す実施例において、四節機構１の側辺４及び５の自由端は、カミソリヘッドのラッチ溝１４に挿入することができる突起１０が設けられ、その結果、カミソリヘッドは上述したようにハンドルに旋回可能に接続される。ベース辺２及び上辺３の単純な屈曲によって、側辺４及び５は、互いに向かって移動し、カミソリヘッド１１は、ハンドル６から取り外すことができる。他の実施例において、屈曲部７及び８を屈曲することができるように適当な作動ノブを設けることができる。図示した実施例のカミソリヘッドは、ハウジング１３内に配置された２枚の片刃カミソリ刃１２を有する。カミソリ刃の間にはスペーサ１５が配置されている。２枚刃組立体は、ハウジング１３内に可動に配置することができる。
カミソリヘッドは、矢印２２によって指示されるように旋回可能である。旋回点は、各カミソリ刃の領域に配置され、最適なシェービング特性を得ることができる。
【図１】
0003727347.tif 000002
【図２】
0003727347.tif 000003
【図３】
0003727347.tif 000004
【図４】
0003727347.tif 000005